(57)【要約】      （修正有）【課題】簡単な構造で、変速機オイルの流動の流れを制御する車両用バルブを提供する。【解決手段】変速機と変速機オイルを冷却させるオイルクーラーとの間に具備される車両用バルブ１００において、互いに対応する両側に変速機と連結する第１流入ポート１１１とオイルクーラーと連結する排出ポート１１３とが形成され、第１流入ポート１１１と排出ポート１1３から長さ方向に沿って離隔した位置で互いに対応する両側に変速機と連結するバイパスポート１１５とオイルクーラーと連結する第２流入ポート１１７とが形成されるバルブハウジング１１０と、バルブハウジング１１０の内部に装着され、変速機オイルの温度により膨張または収縮が行われながら、第１流入ポート１１１を排出ポート１１３またはバイパスポート１１５に選択的に連結し、排出ポート１１３を選択的に閉鎖して変速機オイルの流動の流れを制御する制御ユニット１２０とを含むことを特徴とする。【選択図】図３
2015212574.tif 000002
【特許請求の範囲】
【請求項１】
変速機と変速機オイルを冷却させるオイルクーラーとの間に具備される車両用バルブにおいて、
互いに対応する両側に前記変速機と連結する第１流入ポートと前記オイルクーラーと連結する排出ポートとが形成され、前記第１流入ポートと前記排出ポートから長さ方向に沿って離隔した位置で互いに対応する両側に前記変速機と連結するバイパスポートと前記オイルクーラーと連結する第２流入ポートとが形成されるバルブハウジングと、
前記バルブハウジングの内部に装着され、流入した変速機オイルの温度により膨張または収縮が行われながら、前記第１流入ポートを前記排出ポートまたは前記バイパスポートに選択的に連結し、前記排出ポートを選択的に閉鎖して変速機オイルの流動の流れを制御する制御ユニットと、
を含むことを特徴とする車両用バルブ。
【請求項２】
前記バルブハウジングは、
一端が閉鎖して他端は開口し、内部に前記第１、第２流入ポートと前記排出ポート、および前記バイパスポートと連結する装着空間が形成されることを特徴とする請求項１に記載の車両用バルブ。
【請求項３】
前記第１流入ポートは、
前記第２流入ポートと前記バルブハウジングの両側で相互交差した位置に形成されることを特徴とする請求項２に記載の車両用バルブ。
【請求項４】
前記制御ユニットは、
一端は開口し、他端中央に装着部が形成され、前記第１流入ポートと前記バイパスポートに対応する一側に長さ方向に沿って少なくとも一つの第１開口孔が形成され、前記第２流入ポートと前記排出ポートに対応する他側に長さ方向に沿って少なくとも一つの第２開口孔が形成され、前記バルブハウジングの内部でスライド移動可能に挿入されるスライディング部材と、
前記バルブハウジングの開口した他端に装着され、前記バルブハウジングの内部を閉鎖し、中央に固定溝が形成されるエンドキャップと、
前記スライディング部材の装着部に挿入され、変速機オイルの温度変化により内部で膨張または収縮が行われながら、前記固定ロッド上で上昇または下降しながら前記スライディング部材を選択的に昇下降させる変形部材と、
前記エンドキャップの固定溝に一端が固定し、前記変形部材の下部に他端が挿入する固定ロッドと、
前記バルブハウジングの内部で前記スライディング部材の間に介在して前記変形部材の膨張および収縮による昇下降時に、圧縮または引張しながら前記スライディング部材に弾性力を提供する第１弾性部材と、
を含むことを特徴とする請求項２に記載の車両用バルブ。
【請求項５】
前記スライディング部材は、
一端が開口した円筒状に形成されることを特徴とする請求項４に記載の車両用バルブ。
【請求項６】
前記第１開口孔と前記第２開口孔は、
前記スライディング部材の長さ方向に上下部にそれぞれ離隔して形成され、上部に位置する前記第１、第２開口孔のうち、前記第１開口孔のサイズが前記第２開口孔のサイズよりさらに大きいサイズで形成されることを特徴とする請求項４に記載の車両用バルブ。
【請求項７】
前記スライディング部材は、
前記変形部材が変形しない場合、前記第１開口孔が前記第１流入ポートと前記バイパスポートに位置し、前記第２開口孔のうち、上部に位置する第２開口孔が前記排出ポートの下部に位置し、下部に位置する第２開口孔は、前記第２流入ポートに位置することを特徴とする請求項６に記載の車両用バルブ。
【請求項８】
前記スライディング部材は、
前記変形部材の膨張変形時に、前記バルブハウジングの内部で上昇して前記バイパスポートと前記第２流入ポートを開放させた状態で維持し、上部に位置する第１、第２開口孔が前記第１流入ポートと前記排出ポートに位置して、前記第１流入ポートと前記排出ポートを開放させることを特徴とする請求項６に記載の車両用バルブ。
【請求項９】
前記スライディング部材は、
前記装着部に挿入した前記変形部材の下部で前記装着部と変形部材間に装着される固定リングを通じて前記変形部材に固定されることを特徴とする請求項４に記載の車両用バルブ。
【請求項１０】
前記エンドキャップは、
前記バルブハウジングの開口した他端の内周面に固定装着される装着リングを通じて前記バルブハウジングに固定されることを特徴とする請求項４に記載の車両用バルブ。
【請求項１１】
前記装着リングは、
前記バルブハウジングの開口した他端の内周面周りに沿って形成されるリング溝を通じて固定装着されることを特徴とする請求項１０に記載のバルブ。
【請求項１２】
前記バルブハウジングと前記エンドキャップとの間には、
前記バルブハウジングの内部に流入した変速機オイルが前記バルブハウジングの外部に漏出することを防止するシーリングが装着されることを特徴とする請求項４に記載の車両用バルブ。
【請求項１３】
前記第１弾性部材は、
一端が前記バルブハウジングの閉鎖した一端内側に支持され、他端は前記スライディング部材の他端内側に支持されるコイルスプリングで形成されることを特徴とする請求項４に記載の車両用バルブ。
【請求項１４】
前記バルブハウジングは、
一端内側に前記第１弾性部材が支持された状態で固定する支持溝が形成されることを特徴とする請求項４に記載の車両用バルブ。
【請求項１５】
前記スライディング部材は、
前記装着部が形成される他端で前記装着部から離隔した位置に形成される少なくとも一つのリリーフ孔が形成されることを特徴とする請求項４に記載の車両用バルブ。
【請求項１６】
前記リリーフ孔は、
前記装着部を中心として円周方向に沿って設定角度に離隔した位置にそれぞれ形成されることを特徴とする請求項１５に記載の車両用バルブ。
【請求項１７】
前記スライディング部材と前記変形部材との間には、
前記バルブハウジングの内部で流入する変速機オイルによって差圧が発生する場合、前記リリーフ孔を選択的に開閉する圧力調節ユニットが具備されることを特徴とする請求項１５に記載の車両用バルブ。
【請求項１８】
前記圧力調節ユニットは、
前記リリーフ孔に対応して前記スライディング部材の他端内側に配置される開閉部材と、
前記スライディング部材の内部で前記開閉部材と前記変形部材との間に介在し、前記開閉部材に弾性力を提供する第２弾性部材と、
を含むことを特徴とする請求項１７に記載の車両用バルブ。
【請求項１９】
前記開閉部材は、
前記装着部に対応して中央に貫通孔が形成された円板状に形成されることを特徴とする請求項１８に記載の車両用バルブ。
【請求項２０】
前記開閉部材は、
前記貫通孔の内周面から前記第２弾性部材に向かって突出した突出部が一体で形成されることを特徴とする請求項１９に記載の車両用バルブ。
【請求項２１】
前記第２弾性部材は、
一端が前記変形部材に支持され、他端は前記開閉部材に支持されるコイルスプリングで形成されることを特徴とする請求項１８に記載の車両用バルブ。
【請求項２２】
前記変形部材は、
変速機オイルの温度により内部で収縮と膨張が行われるワックス素材を含むことを特徴とする請求項４に記載の車両用バルブ。
【発明の詳細な説明】
【技術分野】
【０００１】
本発明は、車両用バルブに係り、より詳しくは、オイルクーラーと変速機との間に具備され、変速機オイルの温度により変速機オイルを変速機にバイパスさせて変速機オイルの温度低下を防止したり、オイルクーラーに流入させて冷却された変速機オイルを変速機に供給する車両用バルブに関する。
【背景技術】
【０００２】
一般に、バルブは、管路の途中や容器に設置され、空気のような気体や水のような液体を含む流体を流入させ、流入した流体を外部に排出したり、排出を遮断して流体の流量と圧力などを制御する装置である。
このようなバルブは、通常流体が通過するバルブシートをバルブステムおよびハンドルで操作して流体の流れを統制するか、別途の温度調節装置を使用してバルブシートに流れる流体の温度を感知して遠隔調整することができる（例えば、特許文献１〜３参照）。
一方、最近では、変速機オイルを冷却する冷却装置に、温度により制御が可能なバルブを適用している。
【０００３】
従来の変速機オイル冷却装置は、変速機オイルの温度を設定温度に維持して、変速機のスリップによる過度な温度上昇を防止すると同時に、変速機オイルの過多な冷却時に、オイル粘性の増大によって変速機の摩擦損失が増大して燃費が低下することを防止するように、冷却装置として空冷式と水冷式で区分されている。
この中で、空冷式変速機オイル冷却装置の場合、ラジエータの前方など外気が円滑に流入する場所に具備されるオイルクーラーと、オイルクーラーと変速機との間の配管に設置され、変速機オイルの温度により開閉するバイパスバルブとを含み、オイルの温度が設定温度より高い場合は、バイパスバルブを通じて熱交換機を通し、オイルの温度が設定温度より低い場合は、熱交換機を通らないようにして、トランスミッションオイルを設定温度に維持する方法がある。
しかし、上記の従来の変速機オイル冷却装置に適用されるバイパスバルブは、それぞれの構成要素をバルブハウジングのバルブ装着孔に順次に嵌めて組み立てなければならず、各部品を正確に位置させることが難しく、組立時間が過度に所要されて製造費用が増加するという短所がある。
【０００４】
また、変速機オイル冷却装置に適用されるバイパスバルブは、変速機オイルの冷却が要求されない場合、オイルクーラーから冷却された低温の変速機オイルの一部が変速機からバイパスバルブに流入し、バイパスする高温状態の変速機オイルと共に変速機に流入することで、変速機オイルの速いウォームアップが難しくなるという短所もある。
また、従来のバイパスバルブが変速機とオイルクーラーとの間を連結する流路パイプの中間に設置され、パイプの中間に相対的に大きいバイパスバルブが位置するため、これによりエンジンルームの空間活用度が落ちるという短所も内包している。
【先行技術文献】
【特許文献】
【０００５】
【特許文献１】特開２０１０−２０３５９８号公報
【特許文献２】特開２００８−１１６００４号公報
【特許文献３】特開２００４−２３２５１４号公報
【発明の概要】
【発明が解決しようとする課題】
【０００６】
本発明は、上記の問題点を解決するためになされたものであって、その目的とするところは、簡単な構造で、変速機オイルを冷却するオイルクーラーと変速機との間に具備し、変速機オイルの温度により速かに変速機オイルをバイパスさせるか、又はオイルクーラーに流入させるように、変速機オイルの流動の流れを制御することにより、構成要素の簡素化を図り、組み立てが簡便で、かつ製造原価を節減することができ、従来に比べてバイパス流動通路を確保して流量を増大させるようにする車両用バルブを提供することにある。
【課題を解決するための手段】
【０００７】
上記目的を達成するためになされた本発明の車両用バルブは、変速機と変速機オイルを冷却させるオイルクーラーとの間に具備される車両用バルブにおいて、互いに対応する両側に変速機と連結する第１流入ポートとオイルクーラーと連結する排出ポートとが形成され、第１流入ポートと排出ポートから長さ方向に沿って離隔した位置で互いに対応する両側に変速機と連結するバイパスポートとオイルクーラーと連結する第２流入ポートとが形成されるバルブハウジングと、バルブハウジングの内部に装着され、流入した変速機オイルの温度により膨張または収縮が行われながら、第１流入ポートを排出ポートまたはバイパスポートに選択的に連結し、排出ポートを選択的に閉鎖して変速機オイルの流動の流れを制御する制御ユニットとを含むことを特徴とする。
【０００８】
バルブハウジングは、一端が閉鎖して他端は開口し、内部に第１、第２流入ポートと排出ポート、およびバイパスポートと連結する装着空間が形成されることができる。
第１流入ポートは、第２流入ポートとバルブハウジングの両側で相互交差した位置に形成されることができる。
制御ユニットは、一端は開口し、他端中央に装着部が形成され、第１流入ポートとバイパスポートに対応する一側に長さ方向に沿って少なくとも一つの第１開口孔が形成され、第２流入ポートと排出ポートに対応する他側に長さ方向に沿って少なくとも一つの第２開口孔が形成され、バルブハウジングの内部でスライド移動可能に挿入されるスライディング部材と、バルブハウジングの開口した他端に装着され、バルブハウジングの内部を閉鎖し、中央に固定溝が形成されるエンドキャップと、スライディング部材の装着部に挿入され、変速機オイルの温度変化により内部で膨張または収縮が行われながら、固定ロッド上で上昇または下降しながらスライディング部材を選択的に昇下降させる変形部材と、エンドキャップの固定溝に一端が固定し、変形部材の下部に他端が挿入する固定ロッドと、バルブハウジングの内部でスライディング部材の間に介在して変形部材の膨張および収縮による昇下降時に、圧縮または引張しながらスライディング部材に弾性力を提供する第１弾性部材とを含むことができる。
スライディング部材は、一端が開口した円筒状に形成されることができる。
【０００９】
第１開口孔と第２開口孔は、スライディング部材の長さ方向に上下部にそれぞれ離隔して形成され、上部に位置する第１、第２開口孔のうち、第１開口孔のサイズが第２開口孔のサイズよりさらに大きいサイズで形成されることができる。
スライディング部材は、変形部材が変形しない場合、第１開口孔が第１流入ポートとバイパスポートに位置し、第２開口孔のうち、上部に位置する第２開口孔が排出ポートの下部に位置し、下部に位置する第２開口孔は、第２流入ポートに位置することができる。
スライディング部材は、変形部材の膨張変形時に、バルブハウジングの内部で上昇してバイパスポートと第２流入ポートを開放させた状態で維持し、上部に位置する第１、第２開口孔が第１流入ポートと排出ポートに位置して、第１流入ポートと排出ポートを開放させることができる。
【００１０】
スライディング部材は、装着部に挿入した変形部材の下部で装着部と変形部材間に装着される固定リングを通じて変形部材に固定されることができる。
エンドキャップは、バルブハウジングの開口した他端の内周面に固定装着される装着リングを通じてバルブハウジングに固定されることができる。
装着リングは、バルブハウジングの開口した他端の内周面周りに沿って形成されるリング溝を通じて固定装着されることができる。
バルブハウジングとエンドキャップとの間には、バルブハウジングの内部に流入した変速機オイルがバルブハウジングの外部に漏出することを防止するシーリングが装着されることができる。
【００１１】
第１弾性部材は、一端がバルブハウジングの閉鎖した一端内側に支持され、他端はスライディング部材の他端内側に支持されるコイルスプリングで形成されることができる。
バルブハウジングは、一端内側に第１弾性部材が支持された状態で固定する支持溝が形成されることができる。
スライディング部材は、装着部が形成される他端で装着部から離隔した位置に形成される少なくとも一つのリリーフ孔が形成されることができる。
【００１２】
リリーフ孔は、装着部を中心として円周方向に沿って設定角度に離隔した位置にそれぞれ形成されることができる。
スライディング部材と変形部材との間には、バルブハウジングの内部で流入する変速機オイルによって差圧が発生する場合、リリーフ孔を選択的に開閉する圧力調節ユニットが具備されることができる。
圧力調節ユニットは、リリーフ孔に対応してスライディング部材の他端内側に配置される開閉部材と、スライディング部材の内部で開閉部材と変形部材との間に介在し、開閉部材に弾性力を提供する第２弾性部材とを含むことができる。
【００１３】
開閉部材は、装着部に対応して中央に貫通孔が形成された円板状に形成されることができる。
開閉部材は、貫通孔の内周面から第２弾性部材に向かって突出した突出部が一体で形成されることができる。
第２弾性部材は、一端が変形部材に支持され、他端は開閉部材に支持されるコイルスプリングで形成されることができる。
変形部材は、変速機オイルの温度により内部で収縮と膨張が行われるワックス素材を含むことができる。
【発明の効果】
【００１４】
本発明の実施例に係る車両用バルブによると、簡単な構造で、変速機オイルを冷却するオイルクーラーと変速機との間に具備され、変速機オイルの温度により速かに膨張または収縮が行われ、変速機オイルをバイパスさせるか、又はオイルクーラーに流入させるように変速機オイルの流動の流れを制御することで、構成要素の簡素化が図れるため、製造および組み立てが簡便になり、製造原価を節減できる効果がある。
また、従来に比べて、バイパス流動通路を確保して流量を増大させることができ、オイルクーラーから冷却された変速機オイルが変速機に漏れることを未然に防止することにより、変速機オイルの温度による流動の流れ制御の信頼性を確保することができ、変速機オイルの速いウォームアップによって変速機の内部における摩擦損失を減らして、車両の全体的な燃費を向上させるという効果がある。
また、変速機オイルをバイパスする時に、流量を増大することにより、オイルポンプの所要動力を縮小することができる。さらに、内部構成要素をバルブハウジングに後から組み立てることができるようにすることで、故障時に内部部品の交換が可能であり、維持補修の費用を減らし、交替作業の便宜性を向上させる効果がある。
【図面の簡単な説明】
【００１５】
【図１】本発明の実施例に係る車両用バルブが適用される変速機オイル冷却装置のブロック構成図である。
【図２】本発明の実施例に係る車両用バルブの斜視図である。
【図３】本発明の実施例に係る車両用バルブの分解斜視図である。
【図４】図２のＡ−Ａ線に沿った断面図である。
【図５】本発明の実施例に係る車両用バルブの段階別作動状態図であり、（Ｓ１）はスライディング部材がバルブハウジングの内部の装着空間で下降した場合、（Ｓ２）はスライディング部材が上昇した場合を示す。
【図６】本発明の実施例に係る車両用バルブに適用される圧力調節ユニットの段階別作動状態図であり、（Ｓ１０）はリリーフ孔が閉鎖された状態、（Ｓ２０）はリリーフ孔が開放された状態を示す。
【発明を実施するための形態】
【００１６】
以下、本発明の好ましい実施例を添付の図面に基づいて詳細に説明する。
これに先立ち、本明細書に記載された実施例と図面に示した構成は、本発明の最も好ましい一実施例に過ぎず、本発明の技術的思想を全て代弁するものではない。このため、本出願時点において、これらに代替できる多様な均等物と変形例があり得ることを理解しなければならない。
本発明を明確に説明するために、説明と関係ない部分は省略し、明細書全体にわたって同一または類似の構成要素については同一の参照符号を付けた。
図面に示した各構成の大きさおよび厚さは、説明の便宜のために任意に示したので、本発明が必ずしも図面に示されたものに限定されず、様々な部分および領域を明確に表現するために厚さを拡大して示した。
そして、明細書全体において、ある部分がある構成要素を「含む」というと、これは、特に反対する記載がない限り、他の構成要素を除外するのではなく、他の構成要素をさらに含むことができることを意味する。
また、明細書に記載された「…ユニット」、「…手段」、「…部」、「…部材」等の用語は、少なくとも一つの機能や動作をする包括的な構成の単位を意味する。
【００１７】
図１は、本発明の実施例に係る車両用バルブが適用される変速機オイル冷却装置のブロック構成図であり、図２は、本発明の実施例に係る車両用バルブの斜視図であり、図３は、本発明の実施例に係る車両用バルブの分解斜視図であり、図４は、図２のＡ−Ａ線に沿った断面図である。
図１乃至図４に示したとおり、本発明の実施例に係る車両用バルブ１００は、変速機オイルの温度により速かに変速機オイルをバイパスさせるか、又はオイルクーラー９に流入させるように変速機オイルの流動の流れを制御することで、構成要素の簡素化を図り、組み立てが簡便で、かつ製造原価を節減することができ、従来に比べてバイパス流動通路を確保して流量を増大させるようにしたものである。
本発明の実施例に係る車両用バルブ１００は、図１に示したとおり、変速機５とオイルクーラー９との間に具備される。エンジン３の一側に装着された変速機５の内部に充填される変速機オイルが過熱した場合、ラジエータ７の一側に配置されたオイルクーラー９は、走行中に流入する外気との熱交換を通じて変速機オイルを冷却させる。
【００１８】
このような車両用バルブ１００は、図２乃至図４に示したとおり、バルブハウジング１１０と制御ユニット１２０を含む。
先ず、バルブハウジング１１０には、互いに対応する両側に変速機５と連結して変速機オイルが流入する第１流入ポート１１１と、オイルクーラー９と連結する排出ポート１１３とが形成される。
また、バルブハウジング１１０には、第１流入ポート１１１と排出ポート１１３の下部に長さ方向に離隔した位置で互いに対応する両側に変速機５と連結するバイパスポート１１５と、オイルクーラー９と連結する第２流入ポート１１７とが形成される。
【００１９】
つまり、第１流入ポート１１１は、バルブハウジング１１０の上部一側に形成されて変速機５と連結し、排出ポート１１３は、第１流入ポート１１１に対応する位置でバルブハウジング１１０の上部他側に形成されてオイルクーラー９と連結する。
そして、バイパスポート１１５は、第１流入ポート１１１から離隔したバルブハウジング１１０の下部一側に形成されて変速機５と連結し、第２流入ポート１１７は、バイパスポート１１５に対応する位置でバルブハウジング１１０の下部他側に形成されてオイルクーラー９から冷却された変速機オイルが流入する。
ここで、バルブハウジング１１０は、一端が閉鎖して他端は開口し、内部に第１、第２流入ポート１１１、１１７と排出ポート１１３およびバイパスポート１１５と連結し、変速機５またはオイルクーラー９から変速機オイルが流入する装着空間Ｓが形成される。
【００２０】
第１流入ポート１１１は、第２流入ポート１１７とバルブハウジング１１０の両側の上下部で相互交差した位置に形成される。
そして、制御ユニット１２０は、バルブハウジング１１０の装着空間Ｓに装着され、変速機５から流入した変速機オイルの温度により膨張または収縮が行われ、第１流入ポート１１１と排出ポート１１３またはバイパスポート１１５を選択的に連結し、排出ポート１１３を選択的に開閉して変速機オイルの流動の流れを制御する。
【００２１】
制御ユニット１２０は、スライディング部材１２１、エンドキャップ１２７、固定ロッド１３５、変形部材１３７、および第１弾性部材１４１を含む。
スライディング部材１２１は、一端が開口し、他端中央が内側上部に向かって突き出して孔を形成する装着部１２２を形成し、第１流入ポート１１１とバイパスポート１１５に対応する一側に長さ方向に沿って少なくとも一つの第１開口孔１２３が形成される。
また、スライディング部材１２１は、第２流入ポート１１７と排出ポート１１３に対応する他側に長さ方向に沿って少なくとも一つの第２開口孔１２５が形成され、バルブハウジング１１０の装着空間Ｓ上でスライド移動可能に挿入される。
このようなスライディング部材１２１は、上部に向かう一端が開口し、装着部１２２を除いた他端が閉鎖した円筒状に形成される。
【００２２】
ここで、第１開口孔１２３と第２開口孔１２５は、スライディング部材１２１の長さ方向の上下部にそれぞれ離隔して形成され、上部に位置する第１、第２開口孔１２３、１２５のうち、第１開口孔１２３のサイズが第２開口孔１２５のサイズよりさらに大きいサイズで形成される。
エンドキャップ１２７は、バルブハウジング１１０の開口した他端に装着されてバルブハウジング１１０の内部を閉鎖し、中央に固定溝１２９が形成される。
ここで、エンドキャップ１２７は、バルブハウジング１１０の開口した他端の内周面に固定装着される装着リング１３１を介してバルブハウジング１１０に固定される。
そして、装着リング１３１は、バルブハウジング１１０の開口した他端の内周面周りに沿って形成されるリング溝１１８を介して固定装着される。
【００２３】
つまり、バルブハウジング１１０の開口した他端にエンドキャップ１２７の一端が挿入された状態で、リング溝１１８に装着される装着リング１３１を介してエンドキャップ１２７の他端が支持されることで、エンドキャップ１２７がバルブハウジング１１０に固定装着される。
一方、バルブハウジング１１０とエンドキャップ１２７との間には、バルブハウジング１１０の内部に流入した変速機オイルがバルブハウジング１１０の外部に漏出することを防止するシーリング１３３が装着される。
つまり、シーリング１３３は、エンドキャップ１２７の外周面とバルブハウジング１１０の内周面との間をシールして変速機オイルが外部に漏出することを防止する。
固定ロッド１３５は、円形の棒状に形成され、エンドキャップ１２７の固定溝１２９に一端が固定される。
【００２４】
そして、変形部材１３７は、スライディング部材１２１の装着部１２２に挿入され、固定ロッド１３５の他端は、変形部材１３７の下部に挿入される。
このような変形部材１３７は、変速機オイルの温度変化により内部で膨張または収縮して固定ロッド１３５上で上昇または下降することにより、直線変位が発生し、その位置が可変してスライディング部材１２１を選択的に上昇又は下降させる。
ここで、スライディング部材１２１は、装着部１２２に挿入された変形部材１３７の下部で装着部１２２と変形部材１３７との間に装着される固定リング１３９を介して変形部材１３７に固定される。
一方、本実施例において、変形部材１３７は、変速機オイルのような作動流体の温度により内部で収縮と膨張が行われるワックス素材を含む。
【００２５】
ここで、ワックス素材は、温度により体積の膨張または収縮が行われ、温度が高くなれば内部でその体積が膨張し、温度が低くなれば再び収縮して、初期体積に復元する性質を有する素材である。
つまり、変形部材１３７は、内部にワックス素材が含まれたアセンブリーで構成され、内部にワックス素材が温度により体積変形が発生する場合、外形は変形せず固定ロッド１３５上で上昇または下降する。
これにより、変形部材１３７は、第１流入ポート１１１を通じて設定温度超の変速機オイルが流入する場合、その体積が膨張することにより、固定ロッド１３５に装着された初期位置から固定ロッド１３５上で上昇し、スライディング部材１２１を上昇させる。
【００２６】
これとは反対に、変形部材１３７は、前述したとおり、その体積が膨張した状態で設定温度以下の変速機オイルが流入する場合、その体積が収縮することにより、固定ロッド１３５上で下降し、スライディング部材１２１を初期位置に復帰させる。
また、変形部材１３７は、固定ロッド１３５に装着された初期状態で設定温度以下の変速機オイルが流入する場合は、膨張も収縮も発生せず、位置の変化は行われない。
そして、第１弾性部材１４１は、バルブハウジング１１０の内部でスライディング部材１２１の間に介在し、変形部材１３７の膨張および収縮による上昇および下降時に、圧縮または引張しながらスライディング部材１２１に弾性力を提供する。
ここで、第１弾性部材１４１は、一端がバルブハウジング１１０の閉鎖した一端内側に支持され、他端はスライディング部材１２１の他端内側に支持されるコイルスプリングで形成される。
また、バルブハウジング１１０は、一端内側に第１弾性部材１４１が支持された状態で固定される支持溝１１９が形成され、支持溝１１９を介して第１弾性部材１４１の一端を安定に支持する。
【００２７】
このように構成される車両用バルブ１００の作動を添付した図５に基づいて説明する。
図５は、本発明の実施例に係る車両用バルブの段階別作動状態図であり、（Ｓ１）はスライディング部材がバルブハウジングの内部の装着空間で下降した場合、（Ｓ２）はスライディング部材が上昇した場合を示す。
図５（Ｓ１）のとおり、スライディング部材１２１は、第１流入ポート１１１を通じて流入した変速機オイルが設定温度以下である場合に、変形部材１３７が変形しなくなることで、初期の装着状態を維持する。
この場合、スライディング部材１２１の第１開口孔１２３は、第１流入ポート１１１とバイパスポート１１５に位置し、第１流入ポート１１１とバイパスポート１１５を開放する。
そして、第２開口孔１２５のうち、上部に位置する第２開口孔１２５は、排出ポート１１３の下部に位置した状態で排出ポート１１３を閉鎖した状態を維持し、下部に位置する第２開口孔１２５は、第２流入ポート１１７に位置して第２流入ポート１１７を開放した状態を維持する。
【００２８】
これにより、変速機５から第１流入ポート１１１に流入した変速機オイルは、排出ポート１１３が閉鎖した状態を維持することで、バイパスポート１１５を通じて再び変速機５に流入する。
つまり、本発明の実施例に係る車両用バルブ１００は、変速機オイルが設定温度以下である場合、変速機５から流入した設定温度以下の変速機オイルをオイルクーラー９を通じた冷却なしに、バイパスポート１１５を通じて再び変速機５にバイパスさせて、変速機５を速くワームアップさせることができる。
ここで、オイルクーラー９から排出した冷却された変速機オイルは、開放された第２流入ポート１１７を通じて流入するが、閉鎖された排出ポート１１３からオイルクーラー９に流入する変速機オイルがないため、微量だけ第２流入ポート１１７から流入して、バイパスポート１１５を通じてバイパスする変速機オイルと共に変速機５に流入する。
つまり、第２流入ポート１１７を通じて流入する微量の冷却された変速機オイルは、バイパスする変速機オイルの温度に影響を及ぼさず、冷却されない変速機オイルが継続して変速機５にバイパスして流入することで、より速い変速機５のウォームアップが可能となる。
【００２９】
そこで、本発明の実施例に係る車両用バルブ１００は、前述した作動によってより速い変速機５のウォームアップが可能となることで、変速機５の内部における摩擦損失を減らして車両の全体的な燃費を向上させることができる。
これとは反対に、図５（Ｓ２）のとおり、第１流入ポート１１１を通じて流入した変速機オイルが設定温度超の場合、変形部材１３７が膨張変形することで、スライディング部材１２１がバルブハウジング１１０の内部装着空間Ｓで上昇する。
すると、バイパスポート１１５と第２流入ポート１１７が開放された状態を維持し、上部に位置する第１、第２開口孔１２３、１２５が第１流入ポート１１１と排出ポート１１３に位置して、第１流入ポート１１１と排出ポート１１３を開放する。
この時、第１流入ポート１１１を通じて流入した設定温度超の変速機オイルは、排出ポート１１３からオイルクーラー９に流入し、オイルクーラー９で外気との熱交換により冷却された変速機オイルは、第２流入ポート１１７を通じて流入し、バイパスポート１１５から変速機５に流入する。
【００３０】
これにより、オイルクーラー９で冷却された変速機オイルは、変速機オイルの温度上昇により過熱された変速機５に流入して変速機５を冷却する。
一方、固定ロッド１３５に沿って上昇した変形部材１３７によってスライディング部材１２１が上昇すれば、第１弾性部材１４１は、バルブハウジング１１０とスライディング部材１２１との間で圧縮された状態となる。
この状態で、第１流入ポート１１１から流入する変速機オイルの温度が設定温度以下に落ちる場合、変形部材１３７は、膨張した状態で初期状態に再び収縮変形しながら固定ロッド１３５上で下降する。
この時、スライディング部材１２１は、圧縮した状態の第１弾性部材１４１の弾性力によって、より速かに初期装着状態の図５（Ｓ１）に示した初期位置に下降して、開放された排出ポート１１３を閉鎖させる。
【００３１】
一方、本実施例において、スライディング部材１２１は、装着部１２２が形成される他端で装着部１２２から離隔した位置に形成される少なくとも一つのリリーフ孔１４３が形成される。
このリリーフ孔１４３は、装着部１２２を中心として円周方向に沿って設定角度に離隔した位置にそれぞれ形成されることができ、本実施例では、装着部１２２を中心として９０°角度に離隔した位置に４つが形成される。
一方、本実施例では、リリーフ孔１４３が装着部１２２を中心として円周方向に沿って９０°角度に離隔した位置で４つが形成されることを一実施例として説明しているが、これに限定されるものではなく、リリーフ孔１４３のサイズ、個数および位置は変更して適用することができる。
【００３２】
本実施例において、スライディング部材１２１と変形部材１３７との間には、バルブハウジング１１０の内部でオイルクーラー９から流入する冷却された変速機オイルによって差圧が発生する場合、リリーフ孔１４３を選択的に開閉してバルブハウジング１１０の内部の圧力を調節する圧力調節ユニット１５０が具備される。
圧力調節ユニット１５０は、リリーフ孔１４３に対応してスライディング部材１２１の他端内側に上昇と下降が可能に配置される開閉部材１５１と、スライディング部材１２１の内部で開閉部材１５１と変形部材１３７との間に介在し、開閉部材１５１に弾性力を提供する第２弾性部材１５５とを含んで構成される。
【００３３】
ここで、開閉部材１５１は、装着部１２２に対応して中央に貫通孔１５２が形成された円板状に形成され、貫通孔１５２を通じて装着部１２２に挿入された状態でスライディング部材１２１の他端内側に装着される。
また、開閉部材１５１は、貫通孔１５２の内周面から第２弾性部材１５５に向かって突出した突出部１５３が一体に形成される。
このような突出部１５３は、開閉部材１５１がバルブハウジング１１０でオイルクーラー９から流入した変速機オイルの流量により差圧が発生するか、発生した差圧が解除されて上昇または下降する場合、装着部１２２に沿って安定して上昇または下降するようにガイドする。
一方、第２弾性部材１５５は、一端が変形部材１３７に支持され、他端は開閉部材１５１に支持されるコイルスプリングで形成される。
【００３４】
以下、上記のように構成される圧力調節ユニット１５０の作動について添付した図６を基に説明する
図６は、本発明の実施例に係る車両用バルブに適用される圧力調節ユニットの段階別作動状態図であり、（Ｓ１０）はリリーフ孔が閉鎖された状態、（Ｓ２０）はリリーフ孔が開放された状態を示す。
図６に示したとおり、圧力調節ユニット１５０は、変形部材１３７の膨張変形によってスライディング部材１２１が上昇することにより、第２流入ポート１１７とバイパスポート１１５が開放された状態で選択的に作動する。
先ず、オイルクーラー９で開放された第２流入ポート１１７を通じて冷却された変速機オイルがバルブハウジング１１０の内部に流入する時、流量が少なければ、スライディング部材１２１が位置する上部とスライディング部材１２１の下部でバルブハウジング１１０の内部の圧力差が発生しない。
これにより、圧力調節ユニット１５０は、図６（Ｓ１０）のとおり、リリーフ孔１４３を閉鎖した初期装着状態を維持する。
【００３５】
これとは反対に、第２流入ポート１１７を通じてオイルクーラー９から流入する冷却された変速機オイルの流量が増加して、スライディング部材１２１が位置する上部とスライディング部材１２１の下部でバルブハウジング１１０の内部の圧力差が発生すれば、開閉部材１５１は、図６（Ｓ２０）のとおり、発生した差圧による変速機オイルの圧力によって上昇しながらリリーフ孔１４３を開放する。
すると、第２流入ポート１１７を通じて流入した冷却された変速機オイルのうちの一部が開放されたリリーフ孔１４３を通じてスライディング部材１２１の内部に流入し、スライディング部材１２１の内部とスライディング部材１２１の下部に位置するバルブハウジング１１０の内部の圧力差を解消する。
また、バルブハウジング１１０の内部の差圧が解消されれば、圧力調節ユニット１５０は、開閉部材１５１の上昇時に圧縮した第２弾性部材１５５の弾性力によって開閉部材１５１が速かに下降して再び初期装着状態に復帰し、再び図６（Ｓ１０）のとおり、リリーフ孔１４３を閉鎖させる。
【００３６】
つまり、上述した作動を通じて、バルブ１００は、変速機５とオイルクーラー９からバルブハウジング１１０に流入する変速機オイルの流量差によって発生する圧力差をリリーフ孔１４３と圧力調節ユニット１５０の作動を通じて解消して、バルブ１００の全体的な耐圧性および耐久性を向上させることができ、バルブ作動の信頼性および応答性を向上させることができる。
従って、上記のように構成される本発明の実施例に係る車両用バルブ１００を適用すれば、簡単な構造で、変速機オイルを冷却するオイルクーラー９と変速機５との間に具備され、変速機オイルの温度により速かに膨張または収縮が行われながら、変速機オイルをバイパスさせるかオイルクーラーに流入させるように変速機オイルの流動の流れを制御することで、構成要素の簡素化を通じて製造および組み立てが簡便で、かつ製造原価を節減することができる。
【００３７】
また、従来に比べて、バイパス流動通路を確保して流量を増大させることができ、オイルクーラー９から冷却された変速機オイルが変速機５に漏れることを未然に防止することにより、変速機オイルの温度による流動の流れ制御の信頼性を確保することができ、変速機オイルの速いウォームアップを通じて変速機５の内部における摩擦損失を減らして、車両の全体的な燃費を向上させることができる。
また、変速機オイルがバイパスする時に、流量の増大を通じてオイルポンプの所要動力を縮小することができ、内部構成要素をバルブハウジング１１０に後組み立てることで、故障時に内部部品の交換が可能であり、維持補修費用を減らし、交換作業の便宜性を向上させることができる。
【００３８】
以上、本発明を好ましい実施例と図面によって説明したが、本発明は、これによって限定されるものではなく、本発明が属する技術分野における通常の知識を有する者によって本発明の技術思想と下記に記載する特許請求の範囲の均等範囲内で多様な修正および変形が可能であることはもちろんである。
【符号の説明】
【００３９】
３：エンジン
５：変速機
７：ラジエータ
９：オイルクーラー
１００：（車両用）バルブ
１１０：バルブハウジング
１１１：第１流入ポート
１１３：排出ポート
１１５：バイパスポート
１１７：第２流入ポート
１１８：リング溝
１１９：支持溝
１２０：制御ユニット
１２１：スライディング部材
１２２：装着部
１２３：第１開口孔
１２５：第２開口孔
１２７：エンドキャップ
１２９：固定溝
１３１：装着リング
１３３：シーリング
１３５：固定ロッド
１３７：変形部材
１３９：固定リング
１４１：第１弾性部材
１４３：リリーフ孔
１５０：圧力調節ユニット
１５１：開閉部材
１５２：貫通孔
１５３：突出部
１５５：第２弾性部材
Ｓ：装着空間
【図１】
2015212574.tif 000003
【図２】
2015212574.tif 000004
【図３】
2015212574.tif 000005
【図４】
2015212574.tif 000006
【図５】
2015212574.tif 000007
【図６】
2015212574.tif 000008